(57)【要約】【課題】各種建物に適用可能な小屋裏換気構造を実現する。【解決手段】開口部２０を有する外壁躯体３０と、開口部２０よりも上方であって外壁躯体３０から外側に離間した位置に配設された通路形成部材４０と、を備えた小屋裏換気構造１００において、外壁躯体３０と通路形成部材４０との間に小屋裏１０に連通する通気経路４０ａを設け、開口部２０と通路形成部材４０との間に通気経路４０ａの通気口４０ｂを設けるようにした。【選択図】図１
2014163059.tif 000002
【特許請求の範囲】
【請求項１】
開口部を有する外壁躯体と、
前記開口部よりも上方であって、前記外壁躯体から外側に離間した位置に配設された通路形成部材と、
を備え、
前記外壁躯体と前記通路形成部材との間に、小屋裏に連通する通気経路を設け、
前記開口部と前記通路形成部材との間に、前記通気経路の通気口を設けたことを特徴とする小屋裏換気構造。
【請求項２】
前記通気経路は、前記通気口側よりも前記小屋裏側の方が広く形成されていることを特徴とする請求項１に記載の小屋裏換気構造。
【請求項３】
前記通気経路内に、フィルター材を備えたことを特徴とする請求項１又は２に記載の小屋裏換気構造。
【請求項４】
前記通路形成部材から離間して配設された板状外壁材を備え、
前記通路形成部材と前記板状外壁材との間に、小屋裏に連通する第２の通気経路を設けたことを特徴とする請求項１〜３の何れか一項に記載の小屋裏換気構造。
【発明の詳細な説明】
【技術分野】
【０００１】
本発明は、小屋裏換気構造に関する。
【背景技術】
【０００２】
従来、屋根の軒先部分に、雨樋部材と鼻隠し部材とを備えた軒先部を設け、鼻隠し部材に形成されている通気部を通じて外部から小屋裏に連通する通気経路を確保した換気構造が知られている（例えば、特許文献１参照。）。
【先行技術文献】
【特許文献】
【０００３】
【特許文献１】特開２００３−２７６２５号公報
【発明の概要】
【発明が解決しようとする課題】
【０００４】
しかしながら、上記従来技術の換気構造を、軒の出が異なる建物に適用するには、軒の出に応じたサイズや形状の鼻隠し部材を各種用意しなければならず、実際に対応することは困難であった。
【０００５】
本発明の目的は、各種建物に適用可能な小屋裏換気構造を提供することである。
【課題を解決するための手段】
【０００６】
以上の課題を解決するため、請求項１に記載の発明は、例えば図１〜図４に示すように、
開口部（窓開口部２０）を有する外壁躯体３０と、
前記開口部２０よりも上方であって、前記外壁躯体３０から外側に離間した位置に配設された通路形成部材４０と、
を備えた小屋裏換気構造１００であって、
前記外壁躯体３０と前記通路形成部材４０との間に、小屋裏１０に連通する通気経路４０ａを設け、
前記開口部２０と前記通路形成部材４０との間に、前記通気経路４０ａの通気口４０ｂを設けたことを特徴とする。
【０００７】
請求項１に記載の発明によれば、開口部２０とその開口部２０よりも上方に配設した通路形成部材４０との間に通気経路４０ａの通気口４０ｂを設けることができ、その通気経路４０ａを通じて小屋裏１０の換気を行うことができる。特に、外壁躯体３０から外側に離間した位置に通路形成部材４０を配設することによって、外壁躯体３０と通路形成部材４０との間に通気経路４０ａを好適に確保することができる。
そして、この小屋裏換気構造１００は、例えば、軒の出が異なる各種建物にも構築することができ、汎用性良く、各種建物に適用することができる。
【０００８】
請求項２に記載の発明は、請求項１に記載の小屋裏換気構造において、
前記通気経路４０ａは、前記通気口４０ｂ側よりも前記小屋裏１０側の方が広く形成されていることを特徴とする。
【０００９】
請求項２に記載の発明によれば、通気経路４０ａに流入した外気が、通気口４０ｂから小屋裏１０に向かって流れ易く、小屋裏１０の換気を好適に行うことができる。
【００１０】
請求項３に記載の発明は、請求項１又は２に記載の小屋裏換気構造において、
前記通気経路４０ａ内に、フィルター材６０を備えたことを特徴とする。
【００１１】
請求項３に記載の発明によれば、小屋裏換気構造１００の通気経路４０ａ内にフィルター材６０を備えているので、通気経路４０ａの通気量を確保しつつ、雨水、砂塵、虫等の侵入を防ぐことができ、好適な換気を継続して行うことができる。
【００１２】
請求項４に記載の発明は、請求項１〜３の何れか一項に記載の小屋裏換気構造において、
前記通路形成部材４０から離間して配設された板状外壁材５０を備え、
前記通路形成部材４０と前記板状外壁材５０との間に、小屋裏１０に連通する第２の通気経路５０ａを設けたことを特徴とする。
【００１３】
請求項４に記載の発明によれば、外壁躯体３０と通路形成部材４０との間の通気経路４０ａに加え、通路形成部材４０と板状外壁材５０との間の第２の通気経路５０ａを設けることができ、小屋裏１０の換気をより効率よく行うことができる。
【発明の効果】
【００１４】
本発明によれば、各種建物に適用可能な小屋裏換気構造を得ることができる。
【図面の簡単な説明】
【００１５】
【図１】本発明に係る小屋裏換気構造を示す断面図である。
【図２】本発明に係る他の小屋裏換気構造を有する建物を示す概略斜視図である。
【図３】本発明に係る他の小屋裏換気構造を示す断面図である。
【図４】本発明に係る小屋裏換気構造における通路形成部材の他の実施形態を示す概略斜視図である。
【発明を実施するための形態】
【００１６】
以下、図面を参照して、本発明に係る小屋裏換気構造の実施形態について詳細に説明する。
【００１７】
なお、本発明の実施の形態の小屋裏換気構造は、壁や床、屋根といった建物の構成要素を予め工場にてパネル化しておき、施工現場でこれらの建築用パネルを組み立てて構築するパネル工法で構築されるものである。また、その他、壁式工法の木造、鉄骨造、鉄筋コンクリート造等の建物にも適用することができる。
【００１８】
（実施形態１）
小屋裏換気構造１００は、図１に示すように、屋根１０ａとその軒先部分１０ｂ等で囲われた空間である小屋裏１０へ外気を流入させる換気構造であって、例えば、小屋裏１０へ外気を流入させて、小屋裏１０の湿気を所定の排気口から屋外に排出し、換気するようになっている。
軒先部分１０ｂには、鼻隠し部材１０ｃが設けられている。鼻隠し部材１０ｃは、屋根１０ａと後述する板状外壁材５０の上端を繋ぐように取り付けられている。
【００１９】
この小屋裏換気構造１００は、開口部としての窓開口部２０を有する外壁パネルである外壁躯体３０と、窓開口部２０よりも上方に配設された通路形成部材４０と、を備えている。
外壁躯体３０の下部には、窓開口部２０を構成するサッシのサッシ枠２０ａが取り付けられている。
通路形成部材４０は板状の壁材であって、外壁躯体３０から外側に離間した位置に配設されている。この通路形成部材４０は、防腐処理されたスペース部材７０を介して外壁躯体３０の外側に配設され、外壁躯体３０と通路形成部材４０との間に小屋裏１０に連通する通気経路４０ａが設けられている。その通気経路４０ａの流入口となる通気口４０ｂが、窓開口部２０と通路形成部材４０との間に設けられている。
また、通気経路４０ａは、通気口４０ｂ側よりも小屋裏１０側の方が広く形成されている。
スペース部材７０は、鉛直方向に長い部材であって、水平方向に間隔をおいて複数配設されており、外壁躯体３０と通路形成部材４０との間に空間を形成し、通気経路４０ａを確保している。
【００２０】
外壁躯体３０の外面材３０ａ表面には、シート材Ｓが貼付されている。シート材Ｓは、透湿・防水シート、遮熱シートなどとして機能する建築資材であり、例えば、タイベック（登録商標）などのポリエチレン不織布を用いることができる。
また、外壁躯体３０の外面材３０ａ下部には、調整材１が設けられており、その調整材１を覆うように水切り材２が設けられている。また、水切り材２に対向する通路形成部材４０の裏面に、雪返し材３が設けられている。
なお、通気口４０ｂ側では、水切り材２と、通路形成部材４０および雪返し材３の間が通気経路４０ａになっている。
【００２１】
そして、通気経路４０ａ内の通気口４０ｂ側に、フィルター材６０が備えられている。フィルター材６０は、通気経路４０ａの通気量を確保しつつ、雨水、砂塵、虫等の侵入を防ぐための建築資材であり、例えば、イーヴスベンツ（登録商標）などを用いることができる。
このフィルター材６０は、通気経路４０ａの幅方向全域に亘って備えられていても、幅方向に所定間隔を開けて備えられていてもよい。
なお、通気経路４０ａにフィルター材６０が備えられている場合には、雪返し材３を設けなくてもよい。また、雪返し材３を設けて、フィルター材６０を設けないようにしてもよい。
【００２２】
また、通路形成部材４０の表面には、上述したシート材Ｓが貼付されており、その通路形成部材４０表面から離間した位置にサイディングである板状外壁材５０が配設されている。また、通路形成部材４０の下部には、水切り材４が設けられている。
板状外壁材５０は、縦胴縁５０ｂを介して通路形成部材４０の外側に配設されており、通路形成部材４０と板状外壁材５０との間に、小屋裏１０に連通する第２の通気経路５０ａが設けられている。
なお、第２の通気経路５０ａの通気口の開口サイズは、通気経路４０ａの通気口４０ｂの開口サイズよりも小さく形成されている。
【００２３】
この小屋裏換気構造１００における通気経路４０ａには、通気口４０ｂを通じて外気が下方から流入する。通気経路４０ａに流入した外気はフィルター材６０を通過した後、雪返し材３に当たって曲がり、小屋裏１０に抜けるように流れる。なお、通気経路４０ａは、通気口４０ｂ側よりも小屋裏１０側の方が広く形成されているので、通気経路４０ａに流入した外気が、通気口４０ｂから小屋裏１０に向かって流れ易くなっている。
また、第２の通気経路５０ａには、水切り材４に沿って通路形成部材４０に向かう外気が流入する。水切り材４に当たって曲がるように第２の通気経路５０ａに流入した外気は小屋裏１０に抜けるように流れる。
【００２４】
このように、本実施形態１の小屋裏換気構造１００は、外壁躯体３０と通路形成部材４０との間に小屋裏１０に連通する通気経路４０ａを有しており、また、通路形成部材４０と板状外壁材５０との間に小屋裏１０に連通する第２の通気経路５０ａを有しているので、小屋裏１０の換気を良好に行うことができる。
特に、窓開口部２０よりも上方であって外壁躯体３０から外側に離間した位置に通路形成部材４０や板状外壁材５０を配設することによって、通気経路４０ａや第２の通気経路５０ａを設けることができるので、例えば、軒の出が異なる各種建物にも小屋裏換気構造１００を適用することができる。つまり、この小屋裏換気構造１００は、汎用性良く、各種建物に適用することができる換気構造であるといえる。
【００２５】
また、小屋裏換気構造１００の通気経路４０ａを、通気口４０ｂ側よりも小屋裏１０側の方を広く形成したことで、通気経路４０ａに流入した外気が通気口４０ｂから小屋裏１０に向かって流れ易くなるので、小屋裏１０の換気を好適に行うことができる。
また、この小屋裏換気構造１００は、通気経路４０ａ内にフィルター材６０を備えているので、通気経路４０ａの通気量を確保しつつ、雨水、砂塵、虫等の侵入を防ぐことができ、好適な換気を継続して行うことができる。
【００２６】
（実施形態２）
次に、本発明に係る小屋裏換気構造の実施形態２について説明する。なお、実施形態１と同様の構成については、同符号を付して説明を割愛する。
【００２７】
図２に示す建物５は、軒の出を見せないようにするために、桁側の壁をふかし、外壁躯体３０の窓開口部２０を彫り込んだ形状に設計されたものであり、その彫り込んだ部分の軒天に通気経路４０ａの通気口４０ｂを設け、小屋裏１０へ外気を流入させて、小屋裏１０の換気を行うようになっている。
【００２８】
建物５の小屋裏換気構造２００は、図３に示すように、屋根１０ａの下の空間である小屋裏１０へ外気を流入させる換気構造である。
この小屋裏換気構造２００は、窓開口部２０を有する外壁躯体３０と、窓開口部２０よりも上方に配設された通路形成部材４０と、を備えている。
通路形成部材４０は、外壁躯体３０の上側に、外壁躯体３０の外面と面一になるように配設され、その通路形成部材４０の裏側に小屋裏１０に連通する通気経路４０ａが設けられている。その通気経路４０ａの通気口４０ｂが、窓開口部２０が彫り込まれてなる軒天における窓開口部２０と通路形成部材４０との間に設けられている。
また、外壁躯体３０の下側には、例えば建物５の基礎と一体の下壁９０が、外壁躯体３０の外面と面一になるように設けられている。
【００２９】
この小屋裏換気構造２００における通気経路４０ａには、通気口４０ｂを通じて外気が下方から流入する。例えば、窓開口部２０のサッシに当たって曲がるように通気経路４０ａに流入した外気は小屋裏１０に抜けるように流れる。
また、小屋裏換気構造２００における通気経路４０ａ内に、前述したフィルター材６０を備えるようにしてもよい。
【００３０】
なお、建物５は、軒の出がない設計であるため、豪雪地域では屋根１０ａからの落雪によって外壁躯体３０面が覆われ易い造りであるといえる。一方、窓開口部２０は、建物５内部の暖房の熱を伝導しやすい部分であるので、窓開口部２０の外側の雪は融けやすくなっている。
つまり、窓開口部２０の近傍には雪が積もり難くなっており、窓開口部２０と通路形成部材４０との間に設けられた通気口４０ｂは、豪雪時期でも露出した状態を維持することができるので、この小屋裏換気構造２００によって建物５の小屋裏１０の換気を良好に行うことができる。
【００３１】
このように、本実施形態２の小屋裏換気構造２００であっても、通路形成部材４０の裏側に設けられた通気経路４０ａによって、小屋裏１０の換気を良好に行うことができる。
特に、窓開口部２０とその窓開口部２０よりも上方に配設した通路形成部材４０との間に通気経路４０ａの通気口４０ｂを設けることができるので、例えば、軒の出が異なる各種建物にも小屋裏換気構造２００を適用することができる。つまり、この小屋裏換気構造２００は、汎用性良く、各種建物に適用することができる換気構造であるといえる。
【００３２】
なお、以上の実施の形態においては、通路形成部材４０は、板状の壁材であるとしたが、本発明はこれに限定されるものではない。例えば、図４に示すように、水平方向に延在し、鉛直方向に間隔をおいて配された複数の胴縁下地材４１と、それら胴縁下地材４１に貼り渡されたシート材４２とを有して構成された通路形成部材４０であってもよい。シート材４２は、透湿・防水シート、遮熱シートなどとして機能する建築資材である。
このような通路形成部材４０であっても、上記した通気経路４０ａを設けることができる。
【００３３】
また、その他、具体的な細部構造等についても適宜に変更可能であることは勿論である。
【符号の説明】
【００３４】
１０    小屋裏
２０    窓開口部（開口部）
３０    外壁躯体
４０    通路形成部材
４０ａ  通気経路
４０ｂ  通気口
５０    板状外壁材
５０ａ  通気経路
６０    フィルター材
１００  小屋裏換気構造
２００  小屋裏換気構造
【図１】
2014163059.tif 000003
【図２】
2014163059.tif 000004
【図３】
2014163059.tif 000005
【図４】
2014163059.tif 000006